(57)【要約】【課題】１以上の料金を含む料金形態から選択された料金に応じて課金できる印刷システム及び印刷方法を提供する。【解決手段】本発明の印刷システムは、ユーザの印刷料金の持分を示す１以上の料金情報から、料金情報を取得する端末と、印刷データと端末の識別情報と料金情報とを端末から受信し、印刷データに基づいて印刷物を印刷する印刷部と、端末の識別情報と、端末が取得した料金情報とを、端末又は印刷部から受信し、端末の識別情報と印刷物の枚数とを印刷部から受信し、受信した料金情報と印刷物の枚数とに応じてユーザに課金する課金制御部と、を備える。【選択図】図１
2014209280.tif 000002
【特許請求の範囲】
【請求項１】
ユーザの印刷料金の持分を示す１以上の料金情報から、前記料金情報を取得する端末と、
印刷データと前記端末の識別情報と前記料金情報とを前記端末から受信し、前記印刷データに基づいて印刷物を印刷する印刷部と、
前記端末の識別情報と、前記端末が取得した前記料金情報とを、前記端末又は前記印刷部から受信し、前記端末の識別情報と前記印刷物の枚数とを前記印刷部から受信し、受信した前記料金情報と前記印刷物の枚数とに応じて前記ユーザに課金する課金制御部と、
を備える印刷システム。
【請求項２】
前記料金情報を含む１以上のコードを生成する生成部を更に備え、
前記印刷部は、
前記１以上のコードを前記印刷物に印刷し、
前記端末は、
前記印刷物に表示された前記コードを読み取ることにより、前記料金情報を取得する
請求項１に記載の印刷システム。
【請求項３】
前記１以上のコードを表示する表示部を更に備え、
前記端末は、
前記表示部に表示された前記コードを読み取ることにより、前記料金情報を取得する
請求項１又は２に記載の印刷システム。
【請求項４】
前記課金制御部は、
前記ユーザの前記印刷料金の持分が、第１閾値以下である場合は、広告情報を前記端末に送信し、前記印刷料金と前記ユーザの印刷料金の持分との差額を、前記広告情報の広告主に課金し、
前記端末は、
前記広告情報を表示する
請求項１乃至３のいずれか１項に記載の印刷システム。
【請求項５】
前記課金制御部は、
前記ユーザの前記印刷料金の持分が、第２閾値以下である場合は、広告情報を前記印刷部に送信し、前記印刷料金と前記ユーザの印刷料金の持分との差額を、前記広告情報の広告主に課金し、
前記印刷部は、
前記広告情報を含む前記印刷物を印刷する
請求項１乃至４のいずれか１項に記載の印刷システム。
【請求項６】
端末が、ユーザの印刷料金の持分を示す１以上の料金情報から、前記料金情報を取得するステップと、
印刷部が、印刷データと前記端末の識別情報と前記料金情報とを前記端末から受信するステップと、
印刷部が、前記印刷データに基づいて印刷物を印刷するステップと、
課金制御部が、前記端末の識別情報と、前記端末が取得した前記料金情報とを、前記端末又は前記印刷部から受信するステップと、
課金制御部が、前記端末の識別情報と前記印刷物の枚数とを前記印刷部から受信するステップと、
課金制御部が、受信した前記料金情報と前記印刷物の枚数とに応じて前記ユーザに課金するステップと、
を含む印刷方法。
【発明の詳細な説明】
【技術分野】
【０００１】
本発明は、印刷システム及び印刷方法に関する。
【背景技術】
【０００２】
ＭＦＰ（Ｍｕｌｔｉ  Ｆｕｎｃｔｉｏｎ  Ｐｒｉｎｔｅｒ）やプリンタ等の画像処理装置と、端末とを接続する技術が知られている。例えば、画像処理装置の識別情報を含むＱＲコード（登録商標）等を、端末のカメラやバーコードリーダー等で読み取ることにより、画像処理装置と端末とを接続する技術が知られている。
【０００３】
特許文献１には、モバイル端末を認証トークンとして使用して、ネットワークプリントサーバと印刷装置とを含むネットワークに接続するロケーションフリー印刷システムの発明が開示されている。特許文献１の発明では、モバイル端末をロケーションフリー印刷システムのユーザインタフェースとして利用している。
【発明の概要】
【発明が解決しようとする課題】
【０００４】
しかしながら、従来の技術では、店舗にあるようなＭＦＰやプリンタに端末が接続して、端末から印刷データを印刷する場合に、端末のユーザから料金を徴収する仕組みがなかった。また、無料や割引等の異なる料金を含む料金形態から、ユーザが料金を選択できなかった。
【０００５】
本発明は、上記に鑑みてなされたものであって、１以上の料金を含む料金形態から選択された料金に応じて課金できる印刷システム及び印刷方法を提供することを目的とする。
【課題を解決するための手段】
【０００６】
上述した課題を解決し、目的を達成するために、本発明の印刷システムは、ユーザの印刷料金の持分を示す１以上の料金情報から、前記料金情報を取得する端末と、印刷データと前記端末の識別情報と前記料金情報とを前記端末から受信し、前記印刷データに基づいて印刷物を印刷する印刷部と、前記端末の識別情報と、前記端末が取得した前記料金情報とを、前記端末又は前記印刷部から受信し、前記端末の識別情報と前記印刷物の枚数とを前記印刷部から受信し、受信した前記料金情報と前記印刷物の枚数とに応じて前記ユーザに課金する課金制御部と、を備える。
【発明の効果】
【０００７】
本発明によれば、１以上の料金を含む料金形態から選択された料金に応じて課金できるという効果を奏する。
【図面の簡単な説明】
【０００８】
【図１】図１は、本実施形態の印刷システムの機能ブロックの一例を示す図である。
【図２】図２は、本実施形態の印刷システムのハードウェアの接続構成の一例を示す図である。
【図３】図３は、本実施形態の料金情報の一例を示す図である。
【図４】図４は、本実施形態の印刷システムの画像処理装置がコードを生成する方法の一例を説明するためのフローチャートである。
【図５】図５は、本実施形態の印刷システムの端末がコードを読み取った時の処理の一例を説明するためのフローチャートである。
【図６】図６は、本実施形態の印刷システムのサーバー装置が、端末から情報を受信した時の処理の一例を説明するためのフローチャートである。
【図７】図７は、本実施形態の印刷システムの画像処理装置が、端末とサーバー装置から情報を受信した時の処理の一例を説明するためのフローチャートである。
【図８】図８は、本実施形態の印刷システムの第１表示部に表示されるコードの一例を示す図である。
【図９】図９は、本実施形態の印刷システムの第１表示部に表示されるコードから、「割引」を示すコードが選択された場合の一例を示す図である。
【図１０】図１０は、本実施形態の印刷システムの第１表示部に表示されるコードから、「無料」を示すコードが選択された場合の一例を示す図である。
【図１１】図１１は、本実施形態のユーザ印刷設定情報の一例を示す図である。
【図１２】図１２は、本実施形態の印刷システムの端末の印刷時の処理の一例を説明するためのフローチャートである。
【図１３】図１３は、本実施形態の印刷システムの画像処理装置の印刷時の処理の一例を説明するためのフローチャートである。
【図１４】図１４は、本実施形態の印刷システムのサーバー装置の印刷時の処理の一例を説明するためのフローチャートである。
【図１５】図１５は、本実施形態のカウント情報の一例を示す図である。
【発明を実施するための形態】
【０００９】
以下に添付図面を参照して、印刷システム及び印刷方法の実施形態を詳細に説明する。図１は、本実施形態の印刷システム１００の機能ブロックの一例を示す図である。本実施形態の印刷システム１００は、画像処理装置１０、端末２０及びサーバー装置３０を備える。
【００１０】
ここで、本実施形態の印刷システム１００のハードウェアの接続構成について説明する。図２は、本実施形態の印刷システム１００のハードウェアの接続構成の一例を示す図である。本実施形態の印刷システム１００では、画像処理装置１０、端末２０及びサーバー装置３０が、ネットワーク４０により互いに接続されている。画像処理装置１０は、例えば、レーザープリンタ、デジタル複合機及びインクジェットプリンタ等である。端末２０は、例えば、スマートフォン、携帯電話及びタブレットＰＣ等である。
【００１１】
なお、ネットワーク４０の通信方式は、有線方式であっても無線方式であってもよい。また、ネットワーク４０は、有線方式及び無線方式を組み合わせて実現してもよい。また、ネットワーク４０の通信に利用されるプロトコルは任意でよい。例えば、通信プロトコルには、ＴＣＰ／ＩＰ、ＷＳＤ（Ｗｅｂ  Ｓｅｒｖｉｃｅｓ  ｏｎ  Ｄｅｖｉｃｅｓ）及びＢｌｕｅｔｏｏｔｈ（登録商標）等を利用してもよい。なお、印刷システム１００は、画像処理装置１０、端末２０及びサーバー装置３０を、それぞれ複数備えていてもよい。例えば、サーバー装置３０を、負荷分散などの理由により、複数台で構成してもよい。
【００１２】
図１に戻り、はじめに、画像処理装置１０について説明する。本実施形態の画像処理装置１０は、記憶部１１、生成部１２、第１表示部１３、通信制御部１４及び印刷部１５を備える。通信制御部１４は、送信部１４１及び受信部１４２を備える。記憶部１１は、画像処理装置１０の機器情報及び端末のユーザの印刷料金の持分を示す１以上の料金情報を記憶する。機器情報は、画像処理装置１０を識別する識別情報を含む。識別情報は、例えば、ネットワーク４０上で画像処理装置１０を識別するために使用されるＩＰアドレスである。なお、識別情報は、装置固有のＩＤ等でもよい。
【００１３】
図３は、本実施形態の料金情報の一例を示す図である。図３の例では、３種類の料金情報を例示している。本実施形態の料金情報は、料金形態、印刷用広告の有無を示す情報及び表示用広告の有無を示す情報を含む。図３の例では、ユーザの料金形態が有料である場合、印刷物と端末２０の第２表示部２６とに広告情報を表示しないことを示す。ユーザの料金形態が割引である場合、印刷物に広告情報を表示せず、端末２０の第２表示部２６には広告情報を表示することを示す。なお、割引率は、適宜定めてよい。ユーザの料金形態が無料である場合、印刷物に広告情報を表示し、端末２０の第２表示部２６には広告情報を表示しないことを示す。
【００１４】
なお、本実施形態の印刷システム１００では、ユーザの料金が割引の場合は、割引分の料金は、広告主に課金される。また、ユーザの料金が無料の場合は、印刷物の印刷料金は、全て広告主に課金される。
【００１５】
なお、本実施形態の印刷システム１００では、料金形態を３種類としている。しかしながら、料金形態は任意に定めてよい。例えば、異なる割引率を有する料金情報を定め、割引率に応じて、印刷物と端末２０の第２表示部２６とに表示する広告情報の有無を決定してもよい。例えば、割引率の第１閾値を３割とし、割引率が３割以上である場合（端末２０のユーザの印刷料金の持分が７割以下である場合）に、第２表示部２６に広告情報を表示するようにしてもよい。また、例えば、割引率の第２閾値を５割とし、割引率が５割以上である場合（端末２０のユーザの印刷料金の持分が５割以下である場合）に、印刷物に広告情報を表示するようにしてもよい。
【００１６】
図１に戻り、生成部１２は、端末２０のユーザの印刷料金の持分を示す料金情報と、画像処理装置１０の識別情報とを含む１以上のコードを生成する。第１表示部１３は、生成部１２により生成されたコードを少なくとも１つ表示する。なお、印刷部１５が、生成部１２により生成されたコードを印刷することにより、紙面に当該コードを表示してもよい。
【００１７】
送信部１４１は、他の装置にデータを送信する。例えば、送信部１４１は、印刷終了時に、端末２０の端末情報と、端末２０の印刷指示による印刷物の印刷枚数（カウント情報）と、料金情報とをサーバー装置３０に送信する。端末２０の端末情報については後述する。受信部１４２は、他の装置からデータを受信する。例えば、受信部１４２は、印刷物の印刷時の料金形態と、印刷物と第２表示部２６とに表示する広告情報の有無が端末２０により決定されたときに、端末２０の端末情報と、料金情報とを端末２０から受信する。また、受信部１４２は、端末２０により画像処理装置１０に印刷が指示されるときに、印刷ジョブ（端末２０の端末情報と印刷データ）を受信する。また、受信部１４２は、印刷物に広告情報を表示する場合に、サーバー装置３０から広告情報を受信する。印刷データ、端末２０の端末情報、料金情報及び広告情報は、記憶部１１に記憶される。印刷部１５は、印刷データに基づいて印刷物を印刷する。また、印刷部１５は、印刷物に広告情報を表示する場合は、印刷データと広告情報とを合成した印刷物を印刷する。
【００１８】
次に、端末２０について説明する。本実施形態の端末２０は、読取部２１、決定部２２、通信制御部２３、記憶部２４、印刷指示部２５及び第２表示部２６を備える。通信制御部２３は、送信部２３１及び受信部２３２を備える。読取部２１は、第１表示部１３に表示されたコード又は印刷物に印刷されたコードを読み取る。決定部２２は、当該コードを解析して料金情報を取得する。決定部２２は、当該料金情報に基づいて、印刷物の印刷時の料金形態と、印刷物と第２表示部２６とに表示する広告情報の有無を決定する。印刷指示部２５は、印刷指示を示す端末２０の操作を受け付けたとき、画像処理装置１０に印刷指示を行う。印刷指示部２５は、文書ファイルや画像ファイル等の印刷対象のデータから印刷データを生成する。印刷データは、画像処理装置１０に入力可能な所定の形式のデータである。また、印刷指示部２５は、印刷指示を行うときに、記憶部２４から端末情報を取得する。端末情報は、端末２０を識別する識別情報を含む。識別情報は、例えば、ネットワーク４０上で端末２０を識別するために使用されるＩＰアドレスである。なお、識別情報は、端末固有のＩＤ、ユーザＩＤ及びユーザのメールアドレス等でもよい。印刷指示部２５は、印刷データと端末情報とを含む印刷ジョブを生成する。印刷指示部２５は、通信制御部２３を介して、当該印刷ジョブを画像処理装置１０に送信する。第２表示部２６は、広告情報を表示する場合に、広告情報を表示する。記憶部２４は、端末２０の端末情報及び印刷データを記憶する。
【００１９】
送信部２３１は、他の装置にデータを送信する。例えば、送信部２３１は、印刷物の印刷時の料金形態と、印刷物と第２表示部２６とに表示する広告情報の有無が、決定部２２により決定されたときに、端末２０の識別情報と、料金情報とを画像処理装置１０に送信する。また、送信部２３１は、印刷指示部２５により画像処理装置１０に印刷が指示される時に、印刷データと、端末２０の識別情報とを画像処理装置１０に送信する。また、送信部２３１は、第２表示部２６に広告情報を表示する場合に、サーバー装置３０に、端末２０の識別情報と、画像処理装置１０の識別情報と、料金情報とを送信する。受信部１４２は、他の装置からデータを受信する。例えば、受信部１４２は、第２表示部２６に広告情報を表示する場合に、サーバー装置３０から広告情報を受信する。
【００２０】
次に、サーバー装置３０について説明する。本実施形態のサーバー装置３０は、通信制御部３１、課金制御部３２及び記憶部３３を備える。通信制御部３１は、送信部３１１及び受信部３１２を備える。課金制御部３２は、端末２０が取得した料金情報が有料以外の場合に、通信制御部３１を介して、画像処理装置１０の機器情報と、端末２０の端末情報と、料金情報とを端末１０から受信する。課金制御部３２は、料金情報に基づいて、印刷物及び端末２０に表示する広告の有無を決定する。また、課金制御部３２は、印刷終了時に、通信制御部３１を介して、端末２０の端末情報と、料金情報と、印刷物の枚数とを画像処理装置１０から受信する。課金制御部３２は、料金情報と印刷物の枚数とに基づいて、端末２０の端末情報（ＵｓｅｒＩＤ）により特定されるユーザに課金する。記憶部３３は、広告情報及びカウント情報を記憶する。広告情報は、印刷物又は端末２０に表示する広告の情報である。カウント情報については後述する。
【００２１】
送信部３１１は、他の装置にデータを送信する。例えば、送信部３１１は、印刷物に広告情報（印刷用広告）を表示する場合に、当該広告情報を画像処理装置１０に送信する。また、送信部３１１は、端末２０に広告情報（送信用広告）を表示する場合に、広告情報を端末２０に送信する。受信部３１２は、他の装置からデータを受信する。例えば、受信部３１２は、端末２０が取得した料金情報が有料以外の場合に、端末２０の端末情報と、画像処理装置１０の機器情報と、料金情報とを端末２０から受信する。また、受信部３１２は、端末２０の端末情報（ＵｓｅｒＩＤ）と、料金情報と、端末２０の印刷指示により印刷された印刷物の印刷枚数を画像処理装置１０から受信する。
【００２２】
以下、フローチャートを用いて、本実施形態の印刷システムの印刷方法について詳細に説明する。図４は、本実施形態の印刷システム１００の画像処理装置１０がコードを生成する方法の一例を説明するためのフローチャートである。生成部１２が、記憶部１１から機器情報と料金情報とを取得する（ステップＳ１）。生成部１２が、機器情報と料金情報とを含むコードを生成する（ステップＳ２）。画像処理装置１０は、当該コードの表示方法を判定する（ステップＳ３）。コードの表示方法が紙面による方法である場合は、印刷部１５が当該コードを印刷物に印刷する（ステップＳ４）。コードの表示方法が第１表示部１３による方法である場合は、第１表示部１３が当該コードを表示する（ステップＳ５）。なお、当該コードの表示方法を判定する方法は、適宜定めてよい。例えば、ユーザに選択させる方法や、画像処理装置１０の機器設定により定めておく方法等がある。なお、画像処理装置１０に第１表示部１３がない場合や、第１表示部１３が使用できない場合であっても、ステップＳ４により、当該コードを表示することができる。
【００２３】
図５は、本実施形態の印刷システム１００の端末２０がコードを読み取った時の処理の一例を説明するためのフローチャートである。読取部２１が、生成部１２により生成されたコードを読み取る（ステップＳ１１）。決定部２２が、当該コードを解析して料金情報と画像処理装置１０の機器情報とを取得し、当該料金情報から、印刷物と第２表示部２６とに表示する広告情報の有無を決定する（ステップＳ１２）。通信制御部２３は、記憶部２４から端末情報を取得する（ステップＳ１３）。通信制御部２３は、端末情報と料金情報とを画像処理装置１０に送信する（ステップＳ１４）。通信制御部２３は、料金情報が有料であるか（印刷物と第２表示部２６の両方に広告情報を表示しないか）を判定する（ステップＳ１５）。料金情報が有料でない場合は、通信制御部２３が、サーバー装置３０に、端末２０の端末情報と、画像処理装置１０の機器情報と、前記料金情報とを送信する（ステップＳ１６）。料金情報が有料である場合は、端末２０がコードを読み取った時の処理を終了する。
【００２４】
図６は、本実施形態の印刷システム１００のサーバー装置３０が、端末２０から情報を受信した時の処理の一例を説明するためのフローチャートである。本実施形態の印刷システム１００では、サーバー装置３０は、料金情報が有料以外の場合に、端末２０から情報を受信する。通信制御部３１が、端末２０の端末情報と、画像処理装置１０の機器情報と、料金情報とを端末２０から受信する（ステップＳ２１）。課金制御部３２は、料金情報を判定する（ステップＳ２２）。料金情報が割引である場合、課金制御部３２は、記憶部３３から広告情報（送信用広告）を取得する（ステップＳ２３）。課金制御部３２は、通信制御部３１を介して、送信用広告を、端末情報により特定される端末２０に送信する（ステップＳ２４）。料金情報が無料である場合、課金制御部３２は、記憶部３３から広告情報（印刷用広告）を取得する（ステップＳ２５）。課金制御部３２は、通信制御部３１を介して、取得した印刷用広告と、ステップＳ２１で受信した端末情報とを、ステップＳ２１で受信した機器情報により特定される画像処理装置１０に送信する（ステップＳ２６）。
【００２５】
図７は、本実施形態の印刷システム１００の画像処理装置１０が、端末２０とサーバー装置３０から情報を受信した時の処理の一例を説明するためのフローチャートである。通信制御部１４は、端末２０の端末情報と、料金情報とを端末２０から受信する（ステップＳ３１）。通信制御部１４は、端末２０の端末情報（ＵｓｅｒＩＤ）と、料金情報とを紐付けて記憶部１１に記憶する（ステップＳ３２）。通信制御部１４は、広告情報の受信待ちをする必要があるか否かを決定するため、料金情報が無料であるか否かを判定する（ステップＳ３３）。料金情報が無料である場合（ステップＳ３３、Ｙｅｓ）は、通信制御部１４は、端末２０の端末情報と広告情報（印刷用広告）とをサーバー装置３０から受信する（ステップＳ３４）。通信制御部１４は、端末２０の端末情報（ＵｓｅｒＩＤ）と広告情報とを紐付けて記憶部１１に記憶する（ステップＳ３５）。料金情報が無料でない場合（ステップＳ３３、Ｎｏ）は、処理を終了する。
【００２６】
ここで、本実施形態の印刷システム１００のコードの選択方法と、広告情報（送信用広告及び印刷用広告）の表示方法について説明する。図８は、本実施形態の印刷システム１００の第１表示部１３に表示されるコードの一例を示す図である。図８の例では、第１表示部１３に、ユーザの印刷料金の持分を示す料金情報として、印刷料金が無料であることを示す情報、印刷料金が割引されることを示す情報及び印刷料金が有料であることを示す情報が、ＱＲコード（登録商標）により表示されている。なお、第１表示部１３に表示されるコードは、ＱＲコード（登録商標）に限られず、バーコード等の任意のコードでもよい。また、料金情報は、コードを使用せずに、ユーザにより識別可能な任意の形式で表示してもよい。
【００２７】
図９は、本実施形態の印刷システム１００の第１表示部１３に表示されるコードから、「割引」を示すコードが選択された場合の一例を示す図である。本実施形態の印刷システム１００では、「割引」を示すコードが選択された場合、印刷物に広告を表示せず、端末２０の第２表示部２６に広告を表示する。
【００２８】
図１０は、本実施形態の印刷システム１００の第１表示部１３に表示されるコードから、「無料」を示すコードが選択された場合の一例を示す図である。本実施形態の印刷システム１００では、「無料」を示すコードが選択された場合、印刷物の下部に広告を表示し、端末２０の第２表示部２６には広告を表示しない。
【００２９】
なお、料金情報に応じて、印刷物と端末２０とに広告を表示させる場合に、広告の有無や、広告の位置や大きさ等は適宜決定してよい。例えば、印刷物に表示させる広告の位置は、印刷物の下部に限られず任意の位置でよい。
【００３０】
本実施形態の印刷システム１００では、図４〜７のフローチャートの処理により、端末２０のユーザのユーザ印刷設定情報の作成が完了する。図１１は、本実施形態のユーザ印刷設定情報の一例を示す図である。ユーザ印刷設定情報は、ＵｓｅｒＩＤ、料金形態及び印刷用広告情報を有する。なお、本実施形態の印刷システム１００では、ＵｓｅｒＩＤは、端末２０から受信した端末情報に含まれているものとする。図１１の例では、端末２０のユーザ（ＵｓｅｒＡ）の料金形態は「無料」であり、印刷用広告情報として「広告Ａ」が紐付けられている。すなわち、端末２０のユーザ（ＵｓｅｒＡ）が、第１表示部１３から、印刷料金が「無料」であることを示す情報を選択した場合、又は印刷物に表示された「無料」を示すコードを選択した場合の例である。端末２０のユーザ（ＵｓｅｒＢ）の料金形態は「割引」であり、印刷用広告情報は紐付けられていない。すなわち、端末２０のユーザ（ＵｓｅｒＢ）が、第１表示部１３から、印刷料金が「割引」であることを示す情報を選択した場合、又は印刷物に表示された「割引」を示すコードを選択した場合の例である。端末２０のユーザ（ＵｓｅｒＣ）の料金形態は「有料」であり、印刷用広告情報は紐付けられていない。すなわち、端末２０のユーザ（ＵｓｅｒＣ）が、第１表示部１３から、印刷料金が「有料」であることを示す情報を選択した場合、又は印刷物に表示された「有料」を示すコードを選択した場合の例である。画像処理装置１０では、ユーザ毎に、図１１に示されるようなユーザ印刷設定情報が作成される。
【００３１】
次に、フローチャートを用いて、本実施形態の印刷システム１００の印刷時の動作方法について説明する。図１２は、本実施形態の印刷システム１００の端末２０の印刷時の処理の一例を説明するためのフローチャートである。印刷指示部２５が、端末２０の操作により画像処理装置１０に印刷を指示するときに、印刷データを生成する（ステップＳ４１）。印刷指示部２５が、記憶部２４から端末２０の端末情報を取得する（ステップＳ４２）。印刷指示部２５が、印刷データと端末情報とを含む印刷ジョブを生成し、画像処理装置１０に当該印刷ジョブを送信する（ステップＳ４３）。
【００３２】
図１３は、本実施形態の印刷システム１００の画像処理装置１０の印刷時の処理の一例を説明するためのフローチャートである。通信制御部１４が、端末２０から印刷ジョブ（印刷データと端末２０の端末情報）を受信する（ステップＳ５１）。印刷部１５が、当該印刷ジョブに含まれる端末情報（ＵｓｅｒＩＤ）を使用して、ステップＳ３２（図７参照）で記憶部１１に記憶されていた端末情報（ＵｓｅｒＩＤ）と紐付いた料金情報を取得する（ステップＳ５２）。印刷部１５が、当該料金情報を判定する（ステップＳ５３）。
【００３３】
料金情報が無料である場合は、印刷部１５は、当該印刷ジョブに含まれる端末情報（ＵｓｅｒＩＤ）を使用して、ステップＳ３５（図７参照）で記憶部１１に記憶されていた端末情報（ＵｓｅｒＩＤ）と紐付いた広告情報（印刷用広告）を取得する（ステップＳ５４）。印刷部１５が、広告を含む印刷物を印刷するため、印刷データと印刷用広告とを合成する（ステップＳ５５）。印刷部１５が、印刷物（広告を含む印刷物）を印刷する（ステップＳ５６）。通信制御部１４が、印刷枚数、端末情報及び料金情報をサーバー装置３０に送信する（ステップＳ５７）。
【００３４】
料金情報が無料以外である場合は、印刷部１５が、印刷物（広告を含まない印刷物）を印刷する（ステップＳ５６）。通信制御部１４が、印刷枚数、端末情報及び料金情報をサーバー装置３０に送信する（ステップＳ５７）。
【００３５】
なお、ステップＳ５７において、通信制御部１４は、料金情報をサーバー装置３０に送信している。しかしながら、料金情報が有料でない場合は、端末情報（ＵｓｅｒＩＤ）と料金情報は、図５のステップＳ１６において、端末２０から送信されている。そのため、当該料金情報が、ＵｓｅｒＩＤ毎に、サーバー装置３０の記憶部３３に既に記憶されている場合は、ステップＳ５７で料金情報を送信しなくてもよい。
【００３６】
また、料金情報が有料である場合にも、図５のステップＳ１６において、端末２０から端末情報と料金情報とをサーバー装置３０に送信し、サーバー装置３０の記憶部３３に当該端末情報と当該料金情報とを記憶してもよい。これにより、料金情報が有料である場合でも、ステップＳ５７で料金情報を送信しなくてもよい。
【００３７】
また、印刷部１５は、ステップＳ５２及びステップＳ５４により、記憶部１１を２回参照している。しかしながら、ステップＳ５２で、端末情報と紐付いた印刷用広告も参照し、料金情報と印刷用広告とを取得することにより、記憶部１１の参照回数を減らしてもよい。
【００３８】
図１４は、本実施形態の印刷システム１００のサーバー装置３０の印刷時の処理の一例を説明するためのフローチャートである。通信制御部３１が、印刷枚数、端末情報及び料金情報を画像処理装置１０から受信する（ステップＳ６１）。課金制御部３２は、料金情報に応じて、端末情報により識別されるユーザのカウント（印刷枚数）を増やす（ステップＳ６２）。
【００３９】
図１５は、本実施形態のカウント情報の一例を示す図である。カウント情報は、ユーザとカウントとを有する。図１５の例は、例えば、ＵｓｅｒＡが無料の料金形態で、印刷物を１０枚印刷し、ＵｓｅｒＢが割引（５割引き）の料金形態で、印刷物を１０枚印刷し、ＵｓｅｒＣが有料の料金形態で、印刷物を１０枚印刷した場合である。最終的な課金としては、サーバー装置３０の記憶部３３に記憶されているカウント情報を元に料金を請求することにより、ユーザが選択した料金体系に応じた課金が可能となる。なお、本実施形態の印刷システム１００では、サーバー装置３０が、課金制御部３２及び記憶部３３を備えている。しかしながら、課金制御部３２及び記憶部３３の両方、又はいずれか一方を画像処理装置１０が備えていてもよい。
【００４０】
以上のように、本実施形態の印刷システム１００では、端末２０は、ユーザの印刷料金の持分を示す１以上の料金情報から、料金情報を取得する。端末２０は、当該料金情報と端末２０の端末情報（ＵｓｅｒＩＤ）とを画像処理装置１０に送信する。画像処理装置１０は、端末２０から受信した端末２０の端末情報（ＵｓｅｒＩＤ）と料金情報とを紐付けて、記憶部１１に記憶する。画像処理装置１０は、端末２０の端末情報（ＵｓｅｒＩＤ）と印刷データとを含む印刷ジョブを端末１０から受信したときに、当該印刷ジョブに含まれる端末２０の端末情報（ＵｓｅｒＩＤ）を使用して、事前に記憶部１１に記憶していた端末２０の端末情報（ＵｓｅｒＩＤ）の料金情報を特定する。画像処理装置１０は、印刷終了時に、端末２０の端末情報（ＵｓｅｒＩＤ）と印刷枚数と料金情報とを、サーバー装置３０に送信する。サーバー装置３０は、端末２０の端末情報（ＵｓｅｒＩＤ）と印刷枚数と料金情報とに基づいて、ユーザに課金する。
【００４１】
これにより、本実施形態の印刷システム１００によれば、１以上の料金を含む料金形態から選択された料金に応じて課金することができる。
【００４２】
なお、本実施形態の印刷システム１００では、端末２０が、印刷指示（印刷ジョブの送信）前に、画像処理装置１０に料金情報を送信している。しかしながら、端末２０は、取得した料金情報を保持し、印刷指示時に、当該料金情報を含む印刷ジョブを送信してもよい。
【符号の説明】
【００４３】
１０  画像処理装置
１１  記憶部
１２  生成部
１３  第１表示部
１４  通信制御部
１５  印刷部
２０  端末
２１  読取部
２２  決定部
２３  通信制御部
２４  記憶部
２５  印刷指示部
２６  第２表示部
３０  サーバー装置
３１  通信制御部
３２  課金制御部
３３  記憶部
４０  ネットワーク
１００  印刷システム
１４１  送信部
１４２  受信部
２３１  送信部
２３２  受信部
３１１  送信部
３１２  受信部
【先行技術文献】
【特許文献】
【００４４】
【特許文献１】特開２０１２−６４０３０号公報
【図１】
2014209280.tif 000003
【図２】
2014209280.tif 000004
【図３】
2014209280.tif 000005
【図４】
2014209280.tif 000006
【図５】
2014209280.tif 000007
【図６】
2014209280.tif 000008
【図７】
2014209280.tif 000009
【図８】
2014209280.tif 000010
【図９】
2014209280.tif 000011
【図１０】
2014209280.tif 000012
【図１１】
2014209280.tif 000013
【図１２】
2014209280.tif 000014
【図１３】
2014209280.tif 000015
【図１４】
2014209280.tif 000016
【図１５】
2014209280.tif 000017